(57)【要約】【課題】小型化サイズの高周波受信装置を実現する。【解決手段】チューナ部１０２は、アンテナ１０５からの高周波信号が一方の入力に供給される混合器１０９と、この混合器１０９の他方の入力に供給される発振器１１５と、混合器１０９から前記高周波信号と異なる周波数に変換された中間周波数が出力されるとともに、この混合器１０９の出力が供給される出力端子１０７と、発振器１１５を制御するＰＬＬ制御回路１１８とを設け、復調部１０３には、出力端子１０７から出力される信号が供給される復調回路１１９と、誤り訂正回路１２０と、ＴＳ出力端子１２２と、制御回路１２４と、基準発振器１２５とを設け、出力端子１０７と復調回路１１９の入力との間にチューナ部１０２で受信する前記高周波信号の周波数帯を阻止するとともに前記中間周波数を通過させるフィルタ１３０を設けたものである。【選択図】図１
2008124680.tif 000002
【特許請求の範囲】
【請求項１】
高周波信号が入力される第１のチューナ回路とこの第１のチューナ回路を制御するＰＬＬ制御回路とからなる第１のチューナ部と、この第１のチューナ部の出力が接続された復調部とが設けられた高周波受信装置であって、前記第１のチューナ回路は、アンテナからの高周波信号が入力される第１の入力端子と、この第１の入力端子に入力された前記高周波信号が一方の入力に供給される混合器と、この混合器の他方の入力に供給される発振器と、前記混合器から前記高周波信号と異なる周波数に変換された中間周波数が出力されるとともに、この混合器の出力が供給される第１の出力端子とを設け、前記復調部は、前記第１の出力端子から出力される信号が供給される復調回路と、この復調回路からの復調信号が入力されるとともに誤り訂正する誤り訂正回路と、この誤り訂正回路からのＴＳ（トランスポート）信号が出力されるＴＳ出力端子と、前記復調回路、前記誤り訂正回路、前記ＰＬＬ制御回路を制御する制御回路と、この制御回路の基準信号となる基準発振器とを設け、前記第１の出力端子と前記復調部の入力との間に前記第１のチューナ回路で受信する前記高周波信号の周波数帯を阻止するとともに前記中間周波数を通過させる第１のフィルタを設けた高周波受信装置。
【請求項２】
チューナ部と復調部とを第１の筐体に内蔵し、前記チューナ部と前記復調部との間に高周波信号をシールドする仕切板を設け、第１のフィルタは前記復調部と前記仕切板との間に設けられるとともに前記復調回路の入力に近接して設けられた請求項１に記載の高周波受信装置。
【請求項３】
復調回路、誤り訂正回路、制御回路を集積回路として基板上に実装し、前記集積回路において、前記復調回路の入力端子が設けられた一方の面に第１のフィルタを設けるとともに、異なる面に基準発振器を設け、この基準発振器の高さは前記集積回路の高さより低くした請求項１に記載の高周波受信装置。
【請求項４】
基板の一方の面に高周波増幅器と混合器と発振器を搭載し、前記基板の他方の面に基準発振器を搭載した請求項１に記載の高周波受信装置。
【請求項５】
チューナ部には、第１のチューナ回路と同一構成された第２のチューナ回路と、この第２のチューナ回路の出力に接続された第２の出力端子を設け、この第２のチューナ回路に設けられた第２の混合器の他方の入力に前記第１のチューナ回路の発振器の出力を供給し、復調部には、前記第１、第２の出力端子からそれぞれ出力される第１、第２の出力信号が第１、第２の入力にそれぞれ供給されるとともに第１、第２の復調信号をそれぞれ出力する復調回路と、この復調回路と誤り訂正回路との間に設けられるとともに前記第１、第２の復調信号を選択あるいは合成を行うダイバシティ回路を設け、前記第１、第２の出力端子と前記復調回路の第１、第２の入力との間に第１のフィルタと、この第１のフィルタと同じ特性を有する第２のフィルタをそれぞれ挿入することにより、基準発振器の高調波信号が前記第１、第２のチューナ回路に流入することを防止する請求項１に記載の高周波受信装置。
【請求項６】
第１、第２のチューナ回路を並列に配置して設け、基準発振器は前記第１のチューナ回路を前記第２のチューナ回路より遠くに配置し、ダイバシティ回路が第１、第２の復調信号の一方を選択する場合において、前記第１のチューナ回路からの出力を優先的に選択する請求項５に記載の高周波受信装置。
【請求項７】
誤り訂正部から出力されるＣ／Ｎ（キャリア／ノイズ）信号あるいはＢＥＲ（ビットエラーレート）信号が制御回路に供給され、この制御回路において前記Ｃ／Ｎ信号あるいは前記ＢＥＲ信号が予め定められた基準値と比較判定され、この比較判定された信号に基づいて前記ダイバシティ部での復調信号の選択・合成が行われる請求項５に記載の高周波受信装置。
【請求項８】
第１、第２のチューナ部と復調部とを一つの筐体に内蔵する請求項５に記載の高周波受信装置。
【請求項９】
第２のチューナ回路と同一構成された第３、第４のチューナ回路を設け、この第３、第４のチューナ回路の出力は第１のフィルタと同じ特性を有する第３、第４のフィルタを介して復調回路の第３、第４の入力に接続し、前記第２、第３、第４のチューナ回路にそれぞれ設けられた第２、第３、第４の混合器の他方への入力は第１の発振器の出力信号を供給し、基準発振器の高調波信号が前記第１、第２、第３、第４のチューナ回路に流入することを防止する請求項５に記載の高周波受信装置。
【請求項１０】
第１〜第４のチューナ回路と復調部とを一つの筐体に内蔵し、第１〜第４のチューナ回路をこの順に並列に設け、基準発振器は前記第１〜第４のチューナ回路の順に遠くに配置し、ダイバシティ部が前記第１〜第４のチューナ回路からの出力信号を選択あるいは合成する場合において、前記第１〜第４のチューナ回路からの出力信号をこの順に優先的に用いる請求項９に記載の高周波受信装置。
【発明の詳細な説明】
【技術分野】
【０００１】
本発明は、テレビ放送信号を受信する高周波受信装置に関するものである。
【背景技術】
【０００２】
以下、従来の高周波受信装置について図４を用いて説明する。図４において、高周波受信装置１は、チューナ部２と、復調部３から構成されている。
【０００３】
チューナ部２には、アンテナ５が接続される入力端子６と、出力信号が出力される出力端子７が設けられている。この入力端子６から出力端子７に向かって順に高周波増幅器８、混合器９、フィルタ１０、混合器１１、フィルタ１２、増幅器１３が接続されている。
【０００４】
また、混合器９、１１の他方の入力には、発振器１５、１６がそれぞれ接続されている。さらに、これら発振器１５、１６の発振周波数を制御するためのＰＬＬ制御回路１８が接続されている。
【０００５】
そして、高周波増幅器８、混合器９、１１、フィルタ１０、１２、増幅器１３、発振器１５によりチューナ回路２ａを構成している。
【０００６】
復調部３は、出力端子７の出力が接続される復調回路１９と、この復調回路１９の出力が接続される誤り訂正回路２０と、この誤り訂正回路２０から出力される信号が供給されるＴＳ出力端子２２と、復調回路１９とＰＬＬ制御回路１８を制御する制御回路２４と、この制御回路２４に基準信号を供給する基準発振器２５とから構成されている。
【０００７】
以上のように構成された高周波受信装置１について、以下にその動作を説明する。アンテナ５から入力されるデジタル放送信号は、チューナ回路２ａに供給される。このチューナ回路２ａでは、高周波増幅器８により増幅され、さらに混合器９により例えば５７ＭＨｚの中間周波数に変換されたのち、混合器１１によりさらに低い周波数である例えば４ＭＨｚの中間周波数に変換され、増幅器１３により増幅される。
【０００８】
この４ＭＨｚの中間周波信号は、復調回路１９に入力される。この復調回路１９から出力される復調信号は、誤り訂正回路２０により誤り訂正されて出力端子２２からＴＳ信号が出力される。
【０００９】
また、これらＰＬＬ制御回路１８、復調回路１９、誤り訂正回路２０は、制御信号端子２６からの制御信号を受けた制御回路２４により制御されている。さらに、制御回路２４を動作させるための基準信号は、基準発振器２５から供給されている。
【００１０】
なお、この出願の発明に関連する先行技術文献情報としては、例えば、特許文献１が知られている。
【特許文献１】特開平８−２２８１９１号公報
【発明の開示】
【発明が解決しようとする課題】
【００１１】
このような従来の高周波受信装置においては、復調回路１９は、半導体の製造技術面とコスト面の関係より例えば４ＭＨｚの低い周波数を入力できる復調回路１９を用いている。この復調回路１９の入力に対するチューナ部２からの出力信号は、例えば４ＭＨｚの中間周波数としている。
【００１２】
このため、混合器９により５７ＭＨｚとし、さらに混合器１１により４ＭＨｚに周波数変換している。これは、テレビ放送信号である例えばＵＨＦの周波数を４ＭＨｚの中間周波数に直接に変換すると、イメージ信号等による妨害が発生するためである。
【００１３】
また、復調回路１９の復調時のサンプリング周波数は、４ＭＨｚの中間周波信号に対して２倍以上の周波数が必要となる。この２倍以上の周波数（例えば８ＭＨｚ以上）を作成するため、基準発振器２５には例えば４ＭＨｚの水晶発振子を用いている。
【００１４】
このために、２つの混合器９、１１を用いる必要があるので、チューナ部２の形状が大きくなってしまう。さらに、基準発振器２５は低い周波数である４ＭＨｚの水晶発振子を用いているので、復調部の形状が大きくなっていた。このため、小型化サイズとした高周波受信装置の実現ができなかった。
【００１５】
そこで本発明は、このような問題を解決したもので、小型化サイズの高周波受信装置を実現することを目的としたものである。
【課題を解決するための手段】
【００１６】
この目的を達成するために本発明の高周波受信装置において、第１のチューナ回路は、アンテナからの高周波信号が入力される第１の入力端子と、この第１の入力端子に入力された前記高周波信号が一方の入力に供給される混合器と、この混合器の他方の入力に供給される発振器と、前記混合器から前記高周波信号と異なる周波数に変換された中間周波数が出力されるとともに、この混合器の出力が供給される第１の出力端子とを設け、復調部は、前記第１の出力端子から出力される信号が供給される復調回路と、この復調回路からの復調信号が入力されるとともに誤り訂正する誤り訂正回路と、この誤り訂正回路からのＴＳ信号が出力されるＴＳ出力端子と、前記復調回路、前記誤り訂正回路、ＰＬＬ制御回路を制御する制御回路と、この制御回路の基準信号となる基準発振器とを設け、前記第１の出力端子と前記復調部の入力との間に前記第１のチューナ回路で受信する前記高周波信号の周波数帯を阻止するとともに前記中間周波数を通過させる第１のフィルタを設けたものである。
【００１７】
これにより、所期の目的を達成することができる。
【発明の効果】
【００１８】
以上のように、本発明の高周波受信装置では、第１のチューナ回路は、アンテナからの高周波信号が入力される第１の入力端子と、この第１の入力端子に入力された前記高周波信号が一方の入力に供給される混合器と、この混合器の他方の入力に供給される発振器と、前記混合器から前記高周波信号と異なる周波数に変換された中間周波数が出力されるとともに、この混合器の出力が供給される第１の出力端子とを設け、復調部は、前記第１の出力端子から出力される信号が供給される復調回路と、この復調回路からの復調信号が入力されるとともに誤り訂正する誤り訂正回路と、この誤り訂正回路からのＴＳ信号が出力されるＴＳ出力端子と、前記復調回路、前記誤り訂正回路、ＰＬＬ制御回路を制御する制御回路と、この制御回路の基準信号となる基準発振器とを設け、前記第１の出力端子と前記復調部の入力との間に前記第１のチューナ回路で受信する前記高周波信号の周波数帯を阻止するとともに前記中間周波数を通過させる第１のフィルタを設けたものである。
【００１９】
これにより、一つの混合器から出力される例えば５７ＭＨｚの中間周波信号を直接復調部で復調できるので、チューナ部の混合器は１つとなり、小型化サイズが可能となる。
【００２０】
また、復調部の基準信号である基準発振器として例えば、２５．４ＭＨｚの小型化サイズの水晶発振子とを、一つの筐体に内蔵できる。従って、小型化サイズの高周波受信装置を実現できる。
【００２１】
更に、第１のフィルタを用いているので、基準発振器の高調波がチューナ部の入力側へ妨害を与えることはない。
【発明を実施するための最良の形態】
【００２２】
（実施の形態１）
図１は、本発明の実施の形態１における高周波受信装置のブロック図である。この高周波受信装置１０１は、チューナ部１０２と復調部１０３とから構成されている。これらチューナ部１０２と復調部１０３は基板に実装されるとともに、高周波シールドケース１０３ａにより覆うことができる。
【００２３】
チューナ部１０２には、アンテナ１０５が接続される入力端子１０６と、出力信号が出力される出力端子１０７が設けられている。この入力端子１０６から出力端子１０７に向かって順に高周波増幅器１０８、混合器１０９、フィルタ１１０、増幅器１１３が接続されている。
【００２４】
また、混合器１０９の他方の入力には、発振器１１５が接続されている。さらに、この発振器１１５の発振周波数を制御するためのＰＬＬ制御回路１１８が接続されている。
【００２５】
そして、高周波増幅器１０８、混合器１０９、フィルタ１１０、増幅器１１３、発振器１１５によりチューナ回路１１７が構成されている。
【００２６】
復調部１０３は、出力端子１０７の出力が接続される復調回路１１９と、この復調回路１１９の出力が接続される誤り訂正回路１２０と、この誤り訂正回路１２０から出力される信号が供給されるＴＳ出力端子１２２と、復調回路１１９とＰＬＬ制御回路１１８を制御する制御回路１２４と、この制御回路１２４に基準信号を供給する基準発振器１２５とから構成されている。
【００２７】
また、これらＰＬＬ制御回路１１８、復調回路１１９、誤り訂正回路１２０は、制御信号端子１２６からの制御信号を受ける制御回路１２４により制御されている。
【００２８】
さらに、この制御回路１２４を動作させるための基準信号は、基準発振器１２５から供給されている。
【００２９】
また、復調回路１１９、誤り訂正回路１２０、制御回路１２４をひとつの集積回路１１９ａとして構成できる。
【００３０】
以上のように構成された高周波受信装置１０１について、以下にその動作を説明する。アンテナ１０５から入力される高周波信号であるデジタル放送信号は、チューナ回路１１７に供給される。このチューナ回路１１７では、高周波増幅器１０８により増幅され、さらに混合器１０９により例えば５７ＭＨｚの中間周波数に変換され、この中間周波数がフィルタ１１０による妨害信号が抑圧され、さらに増幅器１１３により増幅されて出力端子１０７から出力される。
【００３１】
この出力端子１０７からの５７ＭＨｚの中間周波信号は、チューナ回路で受信する高周波信号の周波数帯を阻止するとともに５７ＭＨｚの中間周波信号を通過させるフィルタ１３０に入力される。このフィルタ１３０から出力される信号は、復調回路１１９に入力される。
【００３２】
この復調回路１１９では、５７ＭＨｚの高い中間周波数が直接入力されて復調できる。このように、高い中間周波数を復調できる技術は、近年の半導体技術の向上により可能となってきた。
【００３３】
この５７ＭＨｚの中間周波信号が復調回路１１９に入力されるので、基準発振器１２５では、例えば５７ＭＨｚの信号をサンプリングするために２倍以上の周波数が必要となる。このサンプリング周波数を作成するために、例えば２５．４ＭＨｚの水晶発振子の発振周波数をてい倍して用いている。このように、高い周波数とした水晶発振子は、周波数が高い分だけ、振動子を小さくできるので小型化サイズとすることができる。
【００３４】
ところが、この水晶発振子に２５．４ＭＨｚを用いた基準発振器１２５は、４ＭＨｚの水晶発振子に比べてＵＨＦ帯の高調波信号が大きい。この理由について以下説明する。
【００３５】
例えば、アンテナ１０５の受信信号が４７０〜７７０ＭＨｚのＵＨＦ帯の場合について説明する。基準発振器１２５の発振周波数２５．４ＭＨｚの１９倍〜３０倍が４８２．６ＭＨｚから７６２．０ＭＨｚになり、ＵＨＦの１５ｃＨ〜６１ｃＨに近接した周波数となる。
【００３６】
これに対して、従来例の４ＭＨｚの発振周波数を有する基準発振器２５では、発振周波数４ＭＨｚの１１８倍〜１９２倍が４７２ＭＨｚから７６８ＭＨｚになり、ＵＨＦの１３ｃＨ〜６２ｃＨに近接した周波数となる。
【００３７】
このように、発振周波数２５．４ＭＨｚである基準発振器１２５の方が、発振周波数４ＭＨｚである基準発振器２５より、高調波信号での高調波の次数が小さくなる。この次数が小さいことは、基準発振周波数に近接した高調波成分の信号となるので、基準発振器１２５の発振周波数２５．４ＭＨｚによる高調波信号のレベルが大きくなる。
【００３８】
このため、水晶発振子に２５．４ＭＨｚを用いた基準発振器１２５は、４ＭＨｚの水晶発振子に比べてＵＨＦ帯の高調波信号が大きい。この高調波信号は、例えば復調回路１１９の入力から漏洩している。この漏洩した信号は、チューナ回路１１７の入力部に漏洩し、その結果として妨害が発生する。
【００３９】
これを改善するために、出力端子１０７と復調回路１１９の入力間に、フィルタ１３０を挿入する。このフィルタ１３０は、チューナ回路１１７で受信する高周波信号の周波数帯を阻止するとともに出力端子１０７からの中間周波信号を通過させるフィルタとしている。例えばＵＨＦ帯を減衰させ、出力端子１０７からの中間周波信号を通過させるＬＰＦ（ローパスフィルタ）とすればよい。
【００４０】
さらに、チューナ部１０２と復調部１０３との間は高周波を遮蔽するシールド板１５０を設ける。このシールド板１５０と復調部１０３との間にフィルタ１３０を設けることにより、さらに基準発振器１２５の高調波信号による妨害の発生を抑圧できる。
【００４１】
この場合、フィルタ１３０は、復調回路１１９の入力に近接して設けることが重要である。すなわち、フィルタ１３０と復調回路１１９との接続部分を最短にできるので、基準発振器１２５の高調波信号の輻射成分を小さくできる。
【００４２】
なお、プリント基板の内層にグランド用のパターンを設け、このプリント基板の一方の面に高周波増幅器１０８、混合器１０９、発振器１１５を搭載し、プリント基板の他方の面に基準発振器１２５を搭載してもよい。この場合には、基準発振器１２５の高周波信号がグランド用のパターンにより高周波的にシールドされるので、チューナ回路１１７が妨害を受けることがない。
【００４３】
さらに、プリント基板に対して、チューナ回路１１７、ＰＬＬ制御回路１１８、集積回路１１９ａ、基準発振器１２５が装着されることになる。この場合、集積回路１１９ａのプリント基板からの高さに対して基準発振器１２５のプリント基板からの高さを低くしておく。これにより、基準発振器１２５とフィルタ１３０とは集積回路１１９ａにより分断される。これにより、基準発振器１２５の高調波信号は、フィルタ１３０に流入しにくくなる。従って、妨害の発生が抑圧される。
【００４４】
（実施の形態２）
図２は、本発明の実施の形態２における高周波受信装置２０１のブロック図である。実施の形態１では、一つのチューナ回路１１７からの出力信号を用いたシングル受信である。これに対して、本実施の形態では、２つのチューナ回路１１７、２０２からの出力信号を用いたダイバシティ受信とした点が異なる。
【００４５】
なお、実施の形態１の構成と同様の構成を有するものについては、同一符号を付しその説明を簡略化する。
【００４６】
図２において、高周波受信装置２０１は、チューナ部２０３、復調部２０４とが一つの高周波シールドケース２０１ａ内に構成されている。これらチューナ部２０３と復調部２０４は基板に実装されるとともに、高周波シールドケース２０１ａにより覆われている。
【００４７】
チューナ部２０３は、アンテナ１０５、２０６が入力端子１０６、２０８を介してそれぞれ接続されるチューナ回路１１７、２０２と、これらチューナ回路１１７、２０２からの出力信号がそれぞれ接続される出力端子１０７、２１１と、チューナ回路１１７、２０２へ供給する電源２１８ａ、２１８ｂと、発振器１１５の発振周波数を制御するＰＬＬ制御回路２１８とから構成されている。
【００４８】
チューナ回路２０２は、アンテナ２０６が接続される入力端子２０８と、出力信号が出力される出力端子２１１が設けられている。この入力端子２０８から出力端子２１１に向かって順に高周波増幅器２２８、混合器２２９、フィルタ２３０、増幅器２３３が接続されている。また、混合器２２９の他方の入力には、発振器１１５が接続されている。
【００４９】
次に、復調部２０４は、出力端子１０７、２１１にそれぞれ接続されるフィルタ１３０、２３６と、これらフィルタ１３０、２３６の出力がそれぞれ接続される復調回路２３８と、この復調回路２３８から出力される復調信号がそれぞれ入力されるダイバシティ回路２４０と、このダイバシティ回路２４０で選択・合成された信号が供給されるとともに誤りを訂正する誤り訂正回路２４２と、この誤り訂正回路２４２から出力されるＴＳ信号が出力される出力端子２４４と、ダイバシティ回路２４０あるいは誤り訂正回路２４２の信号が入出力されるとともにＰＬＬ制御回路２１８にＩ２Ｃ等による制御信号を供給する制御回路２４６と、この制御回路２４６に外部からＩ２Ｃ等による制御用のデータを供給する入力端子２４９と、クロック信号の基準となる基準発振器１２５から構成されている。
【００５０】
なお、復調回路２３８、ダイバシティ回路２４０、誤り訂正回路２４２、制御回路２４６をひとつの集積回路２０４ａ内に実装している。
【００５１】
以上のように構成された高周波受信装置２０１において、シングル受信またはダイバシティ受信の動作について、以下説明する。
【００５２】
なお、シングル受信とは、チューナ回路１１７、２０２のうち一方の出力信号を復調回路２３８に入力して受信するものである。例えば、チューナ回路１１７を用いたとして以下説明する。
【００５３】
また、ダイバシティ受信とは、チューナ回路１１７、２０２の２つの出力信号を復調回路２３８に入力し、この復調回路２３８からの２つの復調信号をダイバシティ回路２４０で合成して受信するものである。
【００５４】
最初に、２つの復調信号を用いたダイバシティ受信の動作について以下説明する。つまり、受信品質が悪い場合の受信状態である。
【００５５】
まず、制御回路２４６からＰＬＬ制御回路２１８に対して制御データが供給される。このＰＬＬ制御回路２１８により、チューナ回路１１７、２０２に電源２１８ａ、２１８ｂがそれぞれ供給される。同時に、チューナ回路１１７、２０２において同じ希望信号が選択されるように発振器１１５の発振周波数の制御が行われる。
【００５６】
そして、アンテナ１０５、２０６から入力されたデジタル放送信号は、高周波増幅器１０８、２２８によりそれぞれ増幅され、混合器１０９、２２９に入力される。
【００５７】
これら混合器１０９、２２９の他方の入力には、発振器１１５が供給されることにより同一の受信チャンネルが選局される。このようにして、混合器１０９、２２９からは選択された希望信号が出力される。この出力信号は、フィルタ１１０、２３０に入力され、妨害信号がそれぞれ抑圧される。
【００５８】
これらフィルタ１１０、２３０からの出力信号は、増幅器１１３、２３３にそれぞれ入力される。これら増幅器１１３、２３３から出力される増幅された信号は、出力端子１０７、２１１から出力される。
【００５９】
そして、これらの出力信号は、復調回路２３８にそれぞれ入力される。この復調回路２３８から出力されるそれぞれの復調信号は、ダイバシティ回路２４０にそれぞれ入力される。
【００６０】
このダイバシティ回路２４０では、これら復調信号に含まれるサブキャリアの信号品質が検出される。この検出された信号品質情報に基づいて、それぞれのサブキャリアに対する重み付け係数が算出される。この重み付け係数により、サブキャリアが合成される。この合成されたサブキャリア合成信号がダイバシティ回路２４０から出力される。このように合成された信号は、重み付け係数によってＣ／Ｎが最大で４倍改善される。
【００６１】
なお、復調信号の信号品質の判定は、誤り訂正回路２４２から出力されるＣ／Ｎ値あるいはＢＥＲ値を用いてもよい。
【００６２】
次に、ダイバシティ受信からシングル受信に切替える動作について説明する。なお、シングル受信に切替える場合に、チューナ回路１１７を動作状態とし、チューナ回路２０２を非動作状態として説明する。
【００６３】
ダイバシティ回路２４０においてサブキャリアの信号品質を検出し、この信号品質が良好な場合には、チューナ回路１１７からの出力信号のみを復調回路２３８に入力してシングル受信とするものである。このように１つの復調信号を用いることにより、チューナ回路１１７のみ電源２１８ａが供給されるので、消費電力を低減することができる。
【００６４】
ところが、この高周波受信装置２０１では、実施の形態１と同様に妨害の課題が発生する。すなわち、基準発振器１２５の高調波信号が、復調回路２３８の入力から出力端子１０７、２１１を介してチューナ回路１１７、２０２の出力に逆流する。この逆流した妨害信号は、高周波増幅器１０８、２２８の入力部に飛び込み、さらに混合器１０９、２２９によって、受信信号と同様に周波数変換され、妨害が発生する。
【００６５】
これを改善するために、出力端子１０７、２１１と復調回路２３８のそれぞれの入力間に、フィルタ１３０、２３６を挿入する。これらフィルタ１３０、２３６は、チューナ回路１１７、２０２で受信する高周波信号の周波数帯を阻止するフィルタとしている。例えば受信する高周波信号がＵＨＦ帯であれば、このＵＨＦ帯を減衰し、出力端子１０７、２１１からの中間周波信号を通過させるＬＰＦ（ローパスフィルタ）とすればよい。
【００６６】
さらに、チューナ部２０３と復調部２０４との間は高周波用のシールド板２５０を設ける。このシールド板２５０と復調回路２３８との間にフィルタ１３０、２３６をそれぞれ設けることにより、さらに基準発振器１２５の高調波信号による妨害の発生を抑圧できる。
【００６７】
この場合、フィルタ１３０、２３６は、復調回路２３８の入力に近接して設けることが重要である。すなわち、フィルタ１３０、２３６と復調回路２３８との接続部分を最短にできるので、基準発振器１２５の高調波信号の輻射成分を小さくできる。
【００６８】
なお、プリント基板の内層にグランド用のパターンを設け、このプリント基板の一方の面に高周波増幅器１０８、２２８、混合器１０９、２２９、発振器１１５を搭載し、プリント基板の他方の面に基準発振器１２５を搭載してもよい。この場合には、基準発振器１２５の高周波信号がプリント基板の内層に形成されたグランド用のパターンにより高周波的にシールドされるので、チューナ回路１１７、２０２が妨害を受けることがない。
【００６９】
さらに、プリント基板に対して、チューナ回路１１７、２０２、ＰＬＬ制御回路２１８、集積回路２０４ａ、基準発振器１２５が装着されることになる。この場合、集積回路２０４ａのプリント基板からの高さに対して基準発振器１２５のプリント基板からの高さを低く設定する。これにより、基準発振器１２５とフィルタ１３０、２３６とは集積回路２０４ａにより高周波的に分断される。これにより、基準発振器１２５の高調波信号は、フィルタ１３０、２３６に流入しにくくなる。従って、妨害の発生が抑圧される。
【００７０】
さらになお、プリント基板の配置としてチューナ回路１１７、２０２をこの順に並列に設け、基準発振器１２５はチューナ回路１１７から遠くに配置する。こうすることにより、チューナ回路１１７と基準発振器１２５との距離は、チューナ回路２０２と基準発振器１２５より離すことができる。従って、ダイバシティ回路２４０が復調信号を選択する場合には、チューナ回路１１７を優先的に用いることにより、受信品質を改善できる。
【００７１】
（実施の形態３）
図３は、本発明の実施の形態３における高周波受信装置３０１のブロック図である。実施の形態２では、２つのチューナ回路１１７、２０２からの出力信号を用いたシングル受信である。これに対して、本実施の形態では、４つのチューナ回路１１７、２０２、３０３、３０５からの出力信号を用いたダイバシティ受信とした点が異なる。
【００７２】
なお、実施の形態２の構成と同様の構成を有するものについては、同一符号を付しその説明を簡略化する。
【００７３】
図３において、高周波受信装置３０１は、チューナ部３０６、３０７と、復調部３０８とが一つの高周波シールドケース３０１ａ内に構成されている。これらチューナ部３０６、３０７と復調部３０８は基板に実装されるとともに、高周波シールドケース３０１ａにより覆われている。
【００７４】
チューナ部３０６は、アンテナ１０５、２０６が入力端子１０６、２０８を介してそれぞれ接続されるチューナ回路１１７、２０２と、これらチューナ回路１１７、２０２からの出力信号がそれぞれ接続される出力端子１０７、２１１と、チューナ回路１１７、２０２に対して電源３０９ａ、３０９ｂを供給するとともに発振器１１５の発振周波数を制御するＰＬＬ制御回路３０９とから構成されている。
【００７５】
チューナ部３０７は、アンテナ３１１、３１２が入力端子３１４、３１５を介してそれぞれ接続されるチューナ回路３０３、３０５と、これらチューナ回路３０３、３０５からの出力信号がそれぞれ接続される出力端子３１７、３１８とから構成されている。
【００７６】
チューナ回路３０３は、アンテナ３１１が接続される入力端子３１４と、出力信号が出力される出力端子３１７が設けられている。この入力端子３１４から出力端子３１７に向かって順に高周波増幅器３２０、混合器３２１、フィルタ３２２、増幅器３２３が接続されている。また、混合器３２１の他方の入力には、発振器１１５が接続されている。
【００７７】
チューナ回路３０５は、アンテナ３１２が接続される入力端子３１５と、出力信号が出力される出力端子３１８が設けられている。この入力端子３１５から出力端子３１８に向かって順に高周波増幅器３３０、混合器３３１、フィルタ３３２、増幅器３３３が接続されている。また、混合器３３１の他方の入力には、発振器１１５が接続されている。
【００７８】
さらに、ＰＬＬ制御回路３０９から出力される電源３０９ｃ、３０９ｄは、チューナ回路３０３、３０５にそれぞれ電源を供給している。
【００７９】
次に、復調部３０８は、出力端子１０７、２１１、３１７、３１８にそれぞれ接続されるフィルタ１３０、２３６、３３５、３３６と、これらフィルタ１３０、２３６、３３５、３３６の出力がそれぞれ接続される復調回路３３８と、この復調回路３３８から出力される復調信号がそれぞれ入力されるダイバシティ回路３４０と、このダイバシティ回路３４０で選択・合成された信号が供給される誤り訂正回路３４２と、この誤り訂正回路３４２から出力されるＴＳ信号が出力される出力端子３４４と、ダイバシティ回路３４０あるいは誤り訂正回路３４２の信号が入出力されるとともにＰＬＬ制御回路３０９にＩ２Ｃ等による制御信号を供給する制御回路３４６と、この制御回路３４６に外部からＩ２Ｃ等による制御用のデータを供給する入力端子３４８と、クロック信号の基準となる基準発振器１２５から構成されている。
【００８０】
なお、復調回路３３８、ダイバシティ回路３４０、誤り訂正回路３４２、制御回路３４６を１つの集積回路３０８ａ内に実装している。
【００８１】
以上のように構成された高周波受信装置３０１において、シングル受信またはダイバシティ受信の動作について、以下説明する。
【００８２】
なお、シングル受信とは、チューナ回路１１７、２０２、３０３、３０５のうち何れか１つの出力信号を復調回路３３８に入力して受信するものである。例えば、チューナ回路１１７を用いたとして以下説明する。
【００８３】
また、ダイバシティ受信とは、チューナ回路１１７、２０２、３０３、３０５の２つ以上の出力信号を復調回路３３８に入力し、この復調回路３３８からの２つ以上の復調信号をダイバシティ回路３４０で合成して受信するものである。
【００８４】
シングル受信あるいは２つのチューナ回路１１７、２０２を用いたダイバシティ受信の基本動作は、実施の形態２と同様である。
【００８５】
４つのチューナ回路１１７、２０２、３０３、３０５を用いたダイバシティ受信は、チューナ回路１１７、２０２、３０３、３０５からの出力信号を復調回路３３８に入力し、この復調回路３３８からの４つの復調信号をダイバシティ回路３４０で合成して受信するものである。
【００８６】
この場合、ＰＬＬ制御回路３０９は、制御回路３４６から制御データを供給される。この制御データにより、ＰＬＬ制御回路３０９からは、チューナ回路１１７、２０２、３０３、３０５に電源３０９ａ、３０９ｂ、３０９ｃ、３０９ｄがそれぞれ供給される。同時に、チューナ回路１１７、２０２、３０３、３０５に対して、同じ希望信号が選択できるように発振器１１５の発振周波数が制御される。
【００８７】
このようにして、受信品質に応じてシングル受信、ダイバシティ受信を選択して高周波受信装置３０１の受信品質を確保することができる。つまり、受信品質の最も悪い場合には４つのチューナ回路１１７、２０２、３０３、３０５からの出力信号を用い、次に受信品質の悪い場合は２つのチューナ回路１１７、２０２からの出力信号を用い、受信品質の良好な場合にはチューナ回路１１７の出力信号を用いてシングル受信を選択することができる。
【００８８】
なお、復調信号の信号品質の判定は、復調回路３３８のサブキャリアの検出信号でなく、誤り訂正回路３４２から出力されるＣ／Ｎ値あるいはＢＥＲ値を用いてもよい。
【００８９】
ところが、この高周波受信装置３０１では、実施の形態２と同様に妨害の課題が発生する。すなわち、基準発振器１２５の高調波信号が、復調回路３３８の入力から出力端子１０７、２１１、３１７、３１８を介してチューナ回路１１７、２０２、３０３、３０５に流入する。この流入した妨害信号は、例えば高周波増幅器１０８、２２８、３２０、３３０の入力部に飛び込み、その結果として混合器１０９、２２９、３２１、３３１によって、受信信号と同様に周波数変換され、妨害が発生する。
【００９０】
これを改善するために、出力端子１０７、２１１、３１７、３１８と復調回路３３８のそれぞれの入力間に、フィルタ１３０、２３６、３３５、３３６を挿入する。これらフィルタ１３０、２３６、３３５、３３６は、チューナ回路１１７、２０２、３０３、３０５で受信する高周波信号の周波数帯を阻止するとともに出力端子１０７、２１１、３１７、３１８からの中間周波信号を通過させるフィルタとしている。
【００９１】
例えば受信する高周波信号がＵＨＦ帯であれば、このＵＨＦ帯を減衰させ、出力端子１０７、２１１、３１７、３１８からの中間周波信号を通過させるＬＰＦ（ローパスフィルタ）とすればよい。
【００９２】
さらに、チューナ部３０６と復調部３０８との間は高周波用のシールド板３５０を設ける。このシールド板３５０と復調回路３３８との間にフィルタ１３０、２３６、３３５、３３６をそれぞれ設けることにより、さらに基準発振器１２５の高調波信号による妨害の発生を抑圧できる。
【００９３】
この場合、フィルタ１３０、２３６、３３５、３３６は、復調回路３３８の入力に近接して設けることが重要である。すなわち、フィルタ１３０、２３６、３３５、３３６と復調回路３３８との接続部分を最短にできるので、基準発振器１２５の高調波信号の輻射成分を小さくできる。
【００９４】
なお、プリント基板の内層にグランド用のパターンを設け、このプリント基板の一方の面に高周波増幅器１０８、２２８、３２０、３３０、混合器１０９、２２９、３２１、３３１、発振器１１５を搭載し、プリント基板の他方の面に基準発振器１２５を搭載してもよい。この場合には、基準発振器１２５の高周波信号がグランド用のパターンにより高周波的にシールドされるので、チューナ回路１１７、２０２、３０３、３０５が妨害を受けることがない。
【００９５】
さらに、プリント基板に対して、チューナ回路１１７、２０２、３０３、３０５、ＰＬＬ制御回路３０９、集積回路３０８ａ、基準発振器１２５が装着されることになるが、集積回路３０８ａのプリント基板からの高さに対して基準発振器１２５のプリント基板からの高さを低く設定する。これにより、基準発振器１２５とフィルタ１３０、２３６、３３５、３３６とは集積回路３０８ａにより高周波的に分断される。これにより、基準発振器１２５の高調波信号は、フィルタ１３０、２３６、３３５、３３６に流入しにくくなる。従って、妨害の発生が抑圧される。
【００９６】
さらになお、プリント基板の配置としてチューナ回路１１７、２０２、３０３、３０５をこの順に並列に設け、基準発振器１２５はこれらチューナ回路のうちチューナ回路１１７から最も遠くに配置する。こうすることにより、基準発振器１２５とチューナ回路１１７、２０２、３０３、３０５との距離は、チューナ回路１１７、２０２、３０３、３０５の順に基準発振器１２５より遠くに離すことができる。
【００９７】
従って、ダイバシティ回路２４０が復調信号を選択する場合には、チューナ回路１１７、２０２、３０３、３０５からのそれぞれの出力信号の順に優先的に用いることにより、受信品質が改善できる。
【産業上の利用可能性】
【００９８】
本発明の高周波受信装置は、高い中間周波数を入力できる復調部を用いた場合において、高い周波数を有する基準発振器の高調波信号による妨害を改善できるので、小型化サイズとした移動用携帯機等に適用することができる。
【図面の簡単な説明】
【００９９】
【図１】本発明の実施の形態１における高周波受信装置のブロック図
【図２】同、実施の形態２における高周波受信装置のブロック図
【図３】同、実施の形態３における高周波受信装置のブロック図
【図４】従来における高周波受信装置のブロック図
【符号の説明】
【０１００】
１０１  高周波受信装置
１０２  チューナ部
１０３  復調部
１０５  アンテナ
１０６  入力端子
１０７  出力端子
１０９  混合器
１１５  発振器
１１７  チューナ回路
１１８  ＰＬＬ制御回路
１１９  復調回路
１２０  誤り訂正回路
１２２  ＴＳ出力端子
１２４  制御回路
１２５  基準発振器
１３０  フィルタ
【図１】
2008124680.tif 000003
【図２】
2008124680.tif 000004
【図３】
2008124680.tif 000005
【図４】
2008124680.tif 000006